(57)【特許請求の範囲】
【請求項１】
断面Ｕ字状の弾性耐火材（１）の凹部に断面Ｙ字状の芯材（２）の先端部（１２）を嵌着した状態でスリット部（６）に挿入して取り付け、該先端部（１２）の反対側が弾性シーリング材（５）のバックアップ材を形成し、該芯材（２）の先端部（１２）の反対側には嵌合部（１１）が形成されていて、弾性シーリング材（５）を充填後、断面T字状のキャップ（４）の端部の嵌合凸条（１０）を該弾性シーリング材（５）を貫通して、芯材（２）の嵌合部（１１）に嵌着したことを特徴とする後施工耐震スリットの止水構造。
【請求項２】
断面矩形の弾性耐火材（１）をスリット部（６）に挿入し、次いで両側先端部のみに粘着止水材（８）を取り付けた断面Ｗ字状のカバー（７）を、該スリット部（６）に挿入し、次いでカバー（７）の凹部に断面Ｔ字状の蓋部（１５）の脚部（１３）を嵌着し、カバー（７）を押し広げて粘着止水材（８）をスリット部（６）に押し付けたことを特徴とする後施工耐震スリットの止水構造。
【発明の詳細な説明】
【技術分野】
【０００１】
コンクリート造の建築物の垂れ壁や腰壁や袖壁などの非構造壁と柱や梁などの構造骨組みとの間に設けられ、地震時の非構造壁による構造骨組の剪断破壊や脆性破壊を防止するために設けられる耐震スリットの止水構造に関する。
【背景技術】
【０００２】
耐震スリットは、腰壁や袖壁や垂壁などの非構造壁と柱や梁などの構造骨組みとの接合部に設けられ、地震時の非構造壁による構造骨組みの剪断破壊や脆性破壊を防止するために、設けられるもので巾は１／１００の層間変形角に追従可能な寸法を確保するため、通常２５ｍｍ〜５０ｍｍで、コンクリートの壁に、この巾の狭いスリット部を設けることが難しく、そのため従来の耐震スリット材は型枠組み立て時にスリット材を型枠に取り付けてコンクリートに打ち込んで取り付けている。そのため、耐震スリット材に求められる要求性能である耐火性、圧縮性（変形可能巾、変形復帰性）、層間変形・水密性に加えて、コンクリートの打設時の側圧に耐える強度が必要となり、この強度と相反する圧縮性（変形可能巾、変形復帰性）の性能とを同時に確保し、さらに固定するための金物や真直ぐ取り付けるための補強材が必要となり、高価なものになり、その上取り付けに手間が掛かり、スリット材が曲がって取り付くなど施工管理が難しい物で、また止水の為シーリングを施すが、シーリングの巾が２５ｍｍを超えると見栄えも悪い上にシーリングの施工管理が難しく品質の確保も難しい。この耐震スリットの材料や構造などが多数提案されている。
【０００３】
壁の全断面を縁切りする場合の耐震スリットの提案の１例として、実願昭５６−１３８１６９号開示の構造物の耐震構造は、長尺状の弾性スリット本体の長片側両端縁に沿って係合する凹溝を有する支持片と、前記弾性スリット本体の短片方向に向って両側面近傍に配置する数本の支持ボルトで固定することを特徴とする構造用スリット材である。
【０００４】
実願平１−６７７２８号開示のコンクリート壁体のスリット目地材はポリエチレン独立発泡体あるいはグラスウールなどの目地材の１側面にその側面の長手方向に沿って少なくとも一本の鉤形の係合溝部を一体的に形成した基板を添設し、一端に係合片を設けると共に腕部の所要間隔位置にセパレータ取り付け孔を形成した支持体を、前記基板の鉤形の係合溝部に沿って着脱可能に係合してなるものである。
【０００５】
特願平９−２１３０１６号開示の貫通スリット形成部材はスリット材を第１スリットと第２スリットとし、夫々がさらに接近し得る動作範囲を残した状態で、セパレータを挿通させ、貫通スリットの厚み方向に移動不可能な状態としつつ型枠に仮固定し、コンクリート硬化後セパレータを除去した後には、地震等の外力が加わった際には相対移動可能である貫通スリット形成部材である。
【発明の開示】
【発明が解決しようとする課題】
【０００６】
耐震スリットには、耐火性と圧縮性（変形可能巾、変形復帰性）と層間変形・水密性が求められ、しかもコンクリートの打設時の側圧に耐える強度がなければならない。ポリエチレン独立発泡体あるいはグラスウールなどを目地材として使用されているものにあっては、コンクリートの打設時の側圧に耐える強度を得るためスリット本体に係合する支持片と両側面近傍に配置した支持ボルトで支持固定しなければならず、また支持片とコンクリートの間からの漏水の恐れがある。
【０００７】
スリット目地材をポリエチレン独立発泡体あるいはグラスウールなどの目地材とし、１側面にその側面の長手方向に沿って少なくとも一本の鉤形の係合溝部を一体的に形成した基板を添設したものにあっては、基板に係合した支持体をセパレータに取り付けて固定するが、型枠の内側に取り付ける目地棒と目地材の位置合わせが難しく、取り付けに手間が掛かり、また目地材の強度を確保するための基板を添接し、固定のための支持体を設ける構成なので、スリット材が高価なものになり、取り付けに手間がかかるものとなった。
【０００８】
スリット材を第１スリットと第２スリットとし、夫々がさらに接近し得る動作範囲を残した状態で、セパレータを挿通させるものにあっては、スリット材をセパレータに固定するため、第１スリットと第２スリットに設けた夫々の挿通孔と型枠に取り付けたセパレータの位置合わせをしなければならず、また返しの型枠を組み立てる際には、見えない状態での位置合わせとなり、取り付けに手間の掛かり、またスリット材が二つの部材の組合せなので高価なものになる。
【０００９】
以上、鑑みて本発明は、上記目的を達成するため、本願出願人の発明にかかる特許第３２５２５７１号のペーパコアパネル製の目地型枠でスリット部を設け、このスリット部にスリット材を挿入して耐震スリットとすることで、スリット材の要求性能を耐火性、圧縮性（変形可能巾、変形復帰性）、層間変形・水密性に絞り込み、しかもコンクリートに打ち込む際に必要な補強材や固定金物を必要としなく、施工性と品質の良い耐震スリットの止水構造を提供することを目的とする。
【課題を解決するための手段】
【００１０】
請求項１の発明は、目地型枠の取り付け、取り外しで設けたスリット部６に、断面Ｕ字状の弾性耐火材１の凹部に断面Ｙ字状の芯材２の先端部１２を嵌着した状態でスリット部６に挿入して取り付け、該先端部１２の反対側が弾性シーリング材５のバックアップ材を形成し、該芯材２の先端部１２の反対側には嵌合部１１が形成されていて、弾性シーリング材５を充填後、断面T字状のキャップ４の端部の嵌合凸条１０を該弾性シーリング材５を貫通して、芯材２の嵌合部１１に嵌着したことを特徴とする後施工耐震スリットの止水構造である。
【００１１】
請求項２の発明は、目地型枠の取り付け、取り外しで設けたスリット部６に、断面矩形の弾性耐火材１をスリット部６に挿入し、次いで両側先端部のみに粘着止水材８を取り付けた断面Ｗ字状のカバー７を、該スリット部６に挿入し、次いでカバー７の凹部に断面Ｔ字状の蓋部１５の脚部１３を嵌着し、カバー７を押し広げて粘着止水材８をスリット部６に押し付けたことを特徴とする後施工耐震スリットの止水構造である。
【発明の効果】
【００１２】
目地型枠でスリット部を設け、このスリット部にスリット材を挿入して耐震スリットとすることで、所謂後施工耐震スリット材３とすることで、スリット材の要求性能を耐火性、圧縮性（変形可能巾、変形復帰性）、層間変形・水密性に絞り込み、しかもコンクリートに打ち込む際に必要な補強材や固定金物を必要としない耐震スリット材とすることができる効果がある。
【００１３】
耐震スリット材を耐火性と圧縮性（変形可能巾、変形復帰性）を確保する弾性耐火材１と層間変形・水密性を確保する弾性シーリング材５もしくは粘着止水材８との組合せとすることで、構成する材料の特性を生かした耐震スリット材とすることができる効果がある。
【００１４】
弾性耐火材１の側面のリブ１７はスリット部６に良く密着し、圧縮性（変形可能巾、変形復帰性）の性能を向上する効果がある。
【００１５】
断面Ｙ字状の芯材２は弾性シーリング材５のバックアップ材を形成し、キャップ４の嵌合突条１０を嵌合してキャップ４を確りと固定する効果がある。
【００１６】
キャップ４は弾性シーリング材５を隠蔽して、紫外線による弾性シーリング材５の劣化を防ぎ、弾性シーリング材５の耐久性を向上する効果があり、また、キャップ４と弾性シーリング材５の間にできる隙間１９はキャップ４から弾性シーリング材５がはみ出さない効果がある。
【００１７】
蓋部１５の脚部１３をカバー７に嵌着することにより、カバー７の先端部が反転して押し広げられ、粘着止水材８をスリット部６に押し付けて止水を確実にする効果がある。
【発明を実施するための形態】
【００１８】
目地型枠は、ペーパコアの両面に板紙などの表面板が接着されており、ペーパコア及び表面板には所定時間中防水性を持続する防水剤が塗布されており、周側面には粘着ビニールテープ等の取り外し部材が貼着されたものである。この目地型枠を所定のスリット部に取り付けて型枠を組み立て、コンクリート打設後、コンクリートの養生期間をおいて目地型枠を取り外す。目地型枠の取り外しに際しては、ペーパコア及び表面板はコンクリートの余剰水を吸水して、ある程度軟弱になっており、容易に取り外しが出来る。
【００１９】
後施工耐震スリット材３は幅が施工部位の壁の長さで決まり、この幅を一辺の長さとし、壁の中心に配設されるアンカー筋に後施工耐震スリット材３が当たらないように、壁の厚さの半分より小さい大きさとする。請求項１の後施工耐震スリット材３は耐火性と圧縮性（変形可能巾、変形復帰性）を確保する弾性耐火材１と層間変形・水密性を確保する弾性シーリング材５との組合せた構成であり、請求項２の後施工耐震スリット材３は耐火性と圧縮性（変形可能巾、変形復帰性）を確保する弾性耐火材１と層間変形・水密性を確保する粘着止水材８との組合せた構成である。
【００２０】
弾性耐火材１は耐震スリット材に求められる要求性能の耐火性と圧縮性（変形可能巾、変形復帰性）を確保するためのもので、弾性耐火材１としては、シリコンゴム、クロロプレンゴム、エチレンプロピレンゴム等の耐火性を有する発泡体が適している。
【００２１】
請求項１の場合の弾性耐火材１の形状は断面Ｕ字状で、両側面がスリット部６に常時付勢するように圧縮変形した状態でスリット部６に押し込んで取り付けるので、芯材２を弾性耐火材１の凹部に嵌着した状態の幅が、所定のスリット部の幅に変形幅を加えた幅を一辺の長さとし、この物の厚さ方向の中央に芯材２を嵌合する凹部を設けた断面Ｕ字状で壁の長さの長尺物である。請求項２の場合は芯材２を嵌着しないので、弾性耐火材１の幅は所定のスリット部の幅に変形幅を加えた幅を一辺の長さとする矩形で、壁の長さの長尺物である
【００２２】
弾性耐火材１は当然圧縮性（変形可能巾、変形復帰性）を有するが、圧縮性の性能を確保するため、スリット材の両側面にリブ１７を形成してもよく、また断面が中空、中実形状及びそれらの組合せのいずれかに限定されるものでない。
【００２３】
耐震スリットの幅は１／１００の層間変形角に追従可能な寸法を確保するので、壁の長さで決まり通常２５ｍｍ〜５０ｍｍでこの幅がシーリングの幅となる。従来、シーリングの幅の変動に伴う接着部への応力集中を防止するため、シーリングの幅（Ｗ）とシーリングの深さ（Ｄ）の関係をＤ／Ｗ＝１／１〜１／２としている。深さ（Ｄ）を大きくすると止水性能が高くなるが幅（Ｗ）も大きくしなければならない。シーリングの幅が２５ｍｍを超えると見栄えが悪いだけでなく、施工管理も品質管理も難しくなる。
【００２４】
請求項１の場合の芯材２は断面Ｙ字状で先端部１２を断面Ｕ字状の弾性耐火材１の凹部に嵌着した状態でスリット部６に挿入して取り付けて、弾性シーリング材５のバックアップ材を形成し、弾性シーリング材５の充填後、該弾性シーリング材５を貫通してキャップ４の嵌合突条１０を嵌合してキャップ４を固定するための嵌合部１１を有する断面Ｙ字状の長尺物である。
【００２５】
芯材２は弾性耐火材１より硬度の高いシリコンゴム、クロロプレンゴム、エチレンプロピレンゴム、ポリエチレン、ポリウレタン、ポリ塩化ビニル等の耐火性を有するソリッドを使用するが、他にアルミやステンレスなどの腐食しなく耐久性が有り、弾性耐火材１より硬度のあるものも使用可能である。
【００２６】
弾性シーリング材５は耐震スリット材に求められる要求性能の層間変形・水密性を確保するためのもので、材料の具体例として、ＪＩＳＡ５７５８に規定される主成分に規定されるシリコン系、変性シリコン系、ポリサルファイド系、変性ポリサルファイド、アクリルウレタン系などが使用可能で、弾性耐火材１と芯材２の接合面での化学的に安定するものが好ましい。
【００２７】
キャップ４は、断面Ｔ字状の長尺物でスリット部６の蓋をするので頂部の幅はスリット部６の幅より大きい幅とし、錨型の嵌合突条１０が芯材２の嵌合部１１を押し広げて嵌まりキャップ４を固定するもので、耐候性を有するシリコンゴム、クロロプレンゴム、エチレンプロピレンゴム、ポリエチレン、ポリウレタン、ポリ塩化ビニル等の半硬質の押し出し成型した長尺物である。
【００２８】
カバー７は、粘着止水材８と蓋部１５と組み合わせた構成で耐震スリット材に求められる要求性能の層間変形・水密性を確保するためのもので、断面がＷ字状の長尺物で両側先端部のみに粘着止水材８を取り付けてスリット部６に挿入し、鍔部１４が壁面１８に当接して固定される。カバー７はスリット部６に挿入する際、両側先端部のみに取り付けた粘着止水材８がスリット部６に接触しない様に、内側に狭めた形状で、蓋部１５の脚部１３を嵌着するとカバー７の先端部が反転して押し広げられ、粘着止水材８がスリット部６に押し付けられて止水を確実にする。材料は、上記に示すように形状を維持し、変形が可能な半硬質のシリコンゴム、クロロプレンゴム、エチレンプロピレンゴム、ポリエチレン、ポリウレタン、ポリ塩化ビニル等が適している。
【００２９】
粘着止水材８はブチルゴムなどをテープ状にしたものをカバー７の両側先端部のみに取り付け、保護シール１６で保護しておき、カバー７の取り付け時に保護シール１６を剥がし、スリット部６にカバー７を挿入して取り付ける。
【００３０】
蓋部１５は半硬質の耐候性を有するシリコンゴム、クロロプレンゴム、エチレンプロピレンゴム、ポリエチレン、ポリウレタン、ポリ塩化ビニル等で、断面Ｔ字状の長尺物でスリット部６の蓋をするので頂部の幅はスリット部６の幅より大きい幅とし、脚部１３は常時カバー７をスリット部６に押圧するように、スリット部６に押し込んで取り付けるので、所定のスリット部６の幅とする。カバー７に当接する脚部１３の両側面にリブ１７を形成してもよく、また断面が中空、中実形状及びそれらの組合せのいずれかに限定されるものでない。
【実施例】
【００３１】
請求項１の実施例を図５、図６、図７、図８、図９の図面で説明する。図５は別の後施工耐震スリット材３の取り付けけた状態を示す一部切欠き斜視図で、図６は後施工耐震スリット材３の分解断面図で、図７は弾性耐火材１に芯材２を嵌着した状態を示す断面図で、図８はスリット部に後施工耐震スリット材３の一部を取り付けた状態を示す断面図で、図９はスリット部に後施工耐震スリット材３の取り付けた状態を示す断面図である。壁の仕様とスリット部６の幅は前記と同様で、壁の厚さが１７０ｍｍでアンカー筋がＤ１０の間隔が４００ｍｍでスリット部６の幅が２５ｍｍであり、目地型枠の取り付け、取り外しも前記同様である。
【００３２】
目地型枠の取り外した後のスリット部６に、断面Ｕ字状の弾性耐火材１の凹部に断面Ｙ字状の芯材２の先端部１２を嵌着した状態でスリット部６に挿入する。芯材２を嵌着した状態の弾性耐火材１の幅は３５ｍｍで、これを幅が２５ｍｍにまで圧縮変形して挿入し、壁面１８から芯材２までの寸法を２０ｍｍとし、次いで該スリット部６に弾性シーリング材５を１５ｍｍ充填する。弾性シーリング材５を充填した後該シーリング材５を貫通して、断面Ｔ字型のキャップ４の嵌合突条１０を芯材２の嵌合部１１に嵌着して施工が完了する。後施工耐震スリット材３の取り付け寸法は、壁面１８から７０ｍｍである。この場合の弾性耐火材１はシリコンゴムの発泡体で、芯材２はシリコンゴムのソリッドで、弾性シーリング材５は変性シリコンで、キャップ４は半硬質のポリ塩化ビニルである。
【００３３】
請求項２の実施例を図１０、図１１、図１２、図１３の図面で説明する。図１０別の後施工耐震スリット材３の取り付け状態を示す一部切欠き斜視図で、図１１は後施工耐震スリット材３の分解断面図で、図１２はスリット部６に後施工耐震スリット材３の一部を取り付けた状態を示す断面図で、図１３はスリット部に後施工耐震スリット材３の取り付けた状態を示す断面図である。壁の仕様とスリット部６の幅は前記と同様で、壁の厚さが１７０ｍｍでアンカー筋がＤ１０の間隔が４００ｍｍでスリット部６の幅が２５ｍｍであり、目地型枠の取り付け、取り外しも前記同様である。
【００３４】
目地型枠の取り外した後のスリット部６に、断面矩形の弾性耐火材１をスリット部６に挿入する。弾性耐火材１の幅は３５ｍｍで、これを幅が２５ｍｍにまで圧縮変形して挿入し、壁面１８から弾性耐火材１までの寸法を２０ｍｍとする。次いで断面Ｗ字状のカバー７の先端両側底部に設けた粘着止水材８の保護シール１６を剥がし該スリット部６にカバー７を挿入する。次いでカバー７の凹部に断面Ｔ字状の蓋部１５の脚部１３を嵌着し、カバー７を押し広げて粘着止水材８をスリット部６に押し付けて施工が完了する。カバー７の壁面１８から寸法は１５ｍｍで、取り付けが完了した後施工耐震スリット材３の取り付け寸法は壁面１８から７０ｍｍである。この場合の弾性耐火材１はシリコンゴムの発泡体で、カバー７は半硬質のポリ塩化ビニルで、粘着止水材８はブチルゴムで、蓋部１５は半硬質のポリ塩化ビニルである。
【図面の簡単な説明】
【００３５】
【図１】参考例の後施工耐震スリット材の取り付け状態を示す一部切欠き斜視図である。
【図２】同上後施工耐震スリット材の分解断面図である。
【図３】同上後施工耐震スリット材の一部組立て断面図である。
【図４】同上後施工耐震スリット材の取り付け状態を示す断面図である。
【図５】請求項１の後施工耐震スリット材の取り付け状態を示す一部切欠き斜視図である。
【図６】同上後施工耐震スリット材の分解断面図である。
【図７】同上後施工耐震スリット材の一部組立て断面図である。
【図８】同上後施工耐震スリット材の一部取り付け状態を示す断面図である。
【図９】同上後施工耐震スリット材の取り付け状態を示す断面図である。
【図１０】請求項２の後施工耐震スリット材の取り付け状態を示す一部切欠き斜視図である。
【図１１】同上後施工耐震スリット材の分解断面図である。
【図１２】同上後施工耐震スリット材の一部取り付け状態を示す断面図である。
【図１３】同上後施工耐震スリット材の取り付け状態を示す断面図である。
【符号の説明】
【００３６】
１  弾性耐火材
２  芯材
３  後施工耐震スリット材
４  キャップ
５  弾性シーリング材
６  スリット部
７  カバー
８  粘着止水材
９  小口
１０  嵌合突条
１１  嵌合部
１２  先端部
１３  脚部
１４  鍔部
１５  蓋部
１６  保護シール
１７  リブ
１８  壁面
１９  隙間
【図１】
0004780545.tif 000002
【図２】
0004780545.tif 000003
【図３】
0004780545.tif 000004
【図４】
0004780545.tif 000005
【図５】
0004780545.tif 000006
【図６】
0004780545.tif 000007
【図７】
0004780545.tif 000008
【図８】
0004780545.tif 000009
【図９】
0004780545.tif 000010
【図１０】
0004780545.tif 000011
【図１１】
0004780545.tif 000012
【図１２】
0004780545.tif 000013
【図１３】
0004780545.tif 000014